(57)【要約】【課題】配筋構造を複雑化することなく、段差を有する床面の支持強度を確保することができる床構造を得る。【解決手段】床構造１２は、柱２０に接合され、垂直ハンチ部３２を備え上端面に段差３４がある鉄筋コンクリート梁３０と、鉄筋コンクリート梁３０の上端面に設けられ、段差のある床面を形成する床パネル３６、３８と、を有する。鉄筋コンクリート梁３０の端部には、垂直ハンチ部３２の下部の下端筋５６から垂直に立ち上がり水平方向へ屈曲して柱２０の内部に定着される端部上筋５０が配筋されている。【選択図】図２
2020020140.tif 000002
【特許請求の範囲】
【請求項１】
柱に接合され、垂直ハンチ部を備え上端面に段差がある鉄筋コンクリート梁と、
前記鉄筋コンクリート梁の上端面に設けられ、段差のある床面を形成する床スラブと、
前記鉄筋コンクリート梁の端部に配筋され、前記垂直ハンチ部の下部の下端主筋から垂直に立ち上がり水平方向へ屈曲して前記柱の内部に定着される端部上端主筋と、
を有する床構造。
【請求項２】
前記鉄筋コンクリート梁は、前記垂直ハンチ部を備えた部分と他の部分とで梁幅が一定とされている請求項１に記載の床構造。
【請求項３】
前記鉄筋コンクリート梁と接合される前記柱の下側に免震装置が設けられている請求項１又は請求項２に記載の床構造。
【発明の詳細な説明】
【技術分野】
【０００１】
本発明は、床構造に関する。
【背景技術】
【０００２】
下記特許文献１には、柱の側面に、腰壁を形成した梁が接合されるコンクリート構造物の柱梁接合部が開示されている。この構造では、腰壁主筋の一端側と梁の下端主筋とを囲むように環状の先端補強筋を配筋し、柱の側面と先端補強金との間に、環状の全体あばら筋及び腰壁あばら筋を配筋する。
【０００３】
また、下記特許文献２には、ハンチ鉄骨大梁の軸方向の中間部の梁成を、その軸方向の両側端部の梁成よりも小さくすることで、ハンチ鉄骨大梁の軸方向の両側端部の下面を中間部の下面よりも下方に配置し、中間部の下方側に設備配管を配設した梁接合構造が開示されている。
【０００４】
また、下記特許文献３には、基礎梁下端部と基礎梁中央部で形成される部分の断面形状を逆Ｔ字状とし、基礎梁下端部の幅が、基礎梁下端部の上方の部分、すなわち基礎張中央部の幅よりも大きくなるようにした建築物が開示されている。
【先行技術文献】
【特許文献】
【０００５】
【特許文献１】特開２０１２−２１５０６３号公報
【特許文献２】特開２０１４−７７３３９号公報
【特許文献３】特開２０１６−１８６１８６号公報
【発明の概要】
【発明が解決しようとする課題】
【０００６】
上記特許文献１に記載の構造では、柱梁接合部の配筋構造が複雑であり、施工性が低下する。
【０００７】
上記特許文献２に記載の構造では、ハンチ鉄骨大梁の上面の高さは同じであり、ハンチ鉄骨大梁の上部に段差を形成するものではない。
【０００８】
上記特許文献３に記載の構造では、基礎梁下端部の幅が、基礎梁下端部の上方の部分、すなわち基礎張中央部の幅よりも大きいため、施工性が低下する。
【０００９】
本発明は上記事実を考慮し、配筋構造を複雑化することなく、段差を有する床面の支持強度を確保することができる床構造を提供することが目的である。
【課題を解決するための手段】
【００１０】
請求項１の発明に係る床構造は、柱に接合され、垂直ハンチ部を備え上端面に段差がある鉄筋コンクリート梁と、前記鉄筋コンクリート梁の上端面に設けられ、段差のある床面を形成する床スラブと、前記鉄筋コンクリート梁の端部に配筋され、前記垂直ハンチ部の下部の下端主筋から垂直に立ち上がり水平方向へ屈曲して前記柱の内部に定着される端部上端主筋と、を有する。
【００１１】
請求項１に記載の発明によれば、垂直ハンチ部を備え上端面に段差がある鉄筋コンクリート梁が柱に接合されている。鉄筋コンクリート梁の上端面に床スラブが設けられることで、段差のある床面が形成されている。鉄筋コンクリート梁の端部には、垂直ハンチ部の下部の下端主筋から垂直に立ち上がり水平方向へ屈曲して柱の内部に定着される端部上端主筋が配筋されている。これにより、上端面の段差が高い部分の床スラブの支持強度を確保することができる。また、垂直ハンチ部の上下方向の高さを変えるとき、鉄筋を屈曲させる位置を変える加工方法で異なる高さの段差に簡単に配筋することができる。
【００１２】
請求項２の発明に係る床構造は、請求項１に記載の床構造において、前記鉄筋コンクリート梁は、前記垂直ハンチ部を備えた部分と他の部分とで梁幅が一定とされている。
【００１３】
請求項２に記載の発明によれば、鉄筋コンクリート梁は、垂直ハンチ部を備えた部分と他の部分とで梁幅が一定とされており、垂直ハンチ部の部分と他の部分との梁幅を変える場合と比べて、垂直ハンチ部の強度を大きくできる。
【００１４】
請求項３の発明に係る床構造は、請求項１又は請求項２に記載の床構造において、前記鉄筋コンクリート梁と接合される前記柱の下側に免震装置が設けられている。
【００１５】
請求項３に記載の発明によれば、鉄筋コンクリート梁と接合される柱の下側に免震装置を設け、地震による床スラブの揺れを抑制している。
【発明の効果】
【００１６】
本発明の床構造によれば、配筋構造を複雑化することなく、段差を有する床面の支持強度を確保することができる。
【図面の簡単な説明】
【００１７】
【図１】第１実施形態の床構造が適用された構造物を示す立断面図である。
【図２】第１実施形態の床構造の配筋を示す立断面図である。
【図３】第１実施形態の床構造に用いられる鉄筋コンクリート梁の長手方向の端部の配筋の断面図（図２中の３−３線に沿った断面図）である。
【図４】第２実施形態の床構造が適用された構造物を示す平面図である。
【図５】第２実施形態の床構造が適用された構造物を示す立断面図（図４中の５−５線に沿った断面図）である。
【発明を実施するための形態】
【００１８】
本発明の実施の形態について、図面を基に詳細に説明する。なお、各図は模式的なものであり、本発明と関連性の低いものは図示を省略している。
【００１９】
〔第１実施形態〕
第１実施形態の床構造について図１〜図３を参照して説明する。
【００２０】
（構造）
図１には、本実施形態の床構造１２が適用された構造物（建物）１０が立断面図にて示されている。図１に示されるように、構造物１０は、基礎１４上に複数の免震装置１６により免震支持されて設置されている。構造物１０は、複数の免震装置１６の上方側にそれぞれ設置された複数の上基礎１８を備えている。複数の上基礎１８には、それぞれ柱２０が設けられている。すなわち、柱２０の下端部は上基礎１８に接合されており、断面視にて柱２０の外形よりも上基礎１８の外形が大きい。本実施形態では、柱２０及び上基礎１８は、鉄筋コンクリートで構築されている。
【００２１】
構造物１０は、図１中の中央部の隣り合う柱２０間に連結された鉄筋コンクリート梁２２を備えている。鉄筋コンクリート梁２２の梁せいは、軸方向（長手方向）に沿って略均一とされている。図示を省略するが、構造物１０には、複数の柱２０間に連結される鉄筋コンクリート梁２２が複数間隔をおいて配置されている。隣り合う複数の鉄筋コンクリート梁２２の上面側には、床パネル２４が設けられている。また、構造物１０は、図１中の鉄筋コンクリート梁２２の軸方向外側の隣り合う柱２０間に設けられた２箇所の床構造１２を備えている。２箇所の床構造１２は、ほぼ同じ構成である。
【００２２】
床構造１２には、隣り合う柱２０間に連結される鉄筋コンクリート梁３０が設けられている。鉄筋コンクリート梁３０は、軸方向（長手方向）の中間部に２箇所の垂直ハンチ部３２を備えている。鉄筋コンクリート梁３０の上端面には、軸方向両側の高上面部３４Ａと軸方向中央部の低上面部３４Ｂとで構成された段差３４が設けられている（図２参照）。すなわち、段差３４は、鉄筋コンクリート梁３０の軸方向両側の高上面部３４Ａと、高上面部３４Ａの間の２箇所の垂直ハンチ部３２に対応する低上面部３４Ｂと、で構成されている。さらに、床構造１２には、鉄筋コンクリート梁３０の２箇所の高上面部３４Ａと低上面部３４Ｂに段差のある床面を形成する両側の床パネル３６と中央部の床パネル３８が設けられている。ここで、床パネル３６、３８は、床スラブの一例である。
【００２３】
鉄筋コンクリート梁３０の軸方向の端部は、鉄筋コンクリート製の上基礎１８の上側角部に接合されており、鉄筋コンクリート梁３０の軸方向の端部と上基礎１８とが一体化されている。鉄筋コンクリート梁３０は、側面視にて略矩形状の外形の軸方向の上側中央部が凹状に窪んだ形状とされている。
【００２４】
鉄筋コンクリート梁３０の下端面は、略水平方向に延びた下面部３５とされている。すなわち、下面部３５には、段差は設けられていない。図示を省略するが、床構造１２には、複数の柱２０間に連結される鉄筋コンクリート梁３０が複数間隔をおいてほぼ平行に配置されている。鉄筋コンクリート梁３０の軸方向と直交する方向には、隣り合う鉄筋コンクリート梁３０を繋ぐ複数の小梁（図示省略）が設けられている。
【００２５】
高上面部３４Ａは、鉄筋コンクリート梁３０の軸方向の両端部側、すなわち柱２０に接合される側に設けられている。一方（例えば、図１中の左側）の床パネル３６は、隣り合う鉄筋コンクリート梁３０の軸方向の一方（例えば、図１中の左側）の高上面部３４Ａと、隣り合う鉄筋コンクリート梁３０を繋ぐ複数の小梁の上面側に設けられている。他方（例えば、図１中の右側）の床パネル３６は、隣り合う鉄筋コンクリート梁３０の軸方向の他方（例えば、図１中の右側）の高上面部３４Ａと、隣り合う鉄筋コンクリート梁３０を繋ぐ複数の小梁の上面側に設けられている。また、床パネル３８は、隣り合う鉄筋コンクリート梁３０の低上面部３４Ｂと隣り合う鉄筋コンクリート梁３０を繋ぐ複数の小梁の上面側に配置されている。
【００２６】
床パネル３８の上下方向の高さは、床パネル３８の両側の床パネル３６の上下方向の高さよりも低い。例えば、床パネル３６の上面の高さと床パネル３８の上面の高さとの差（床段差）は、１３００〜１８５０ｍｍに設定されている。本実施形態では、床パネル３６の上面の高さと床パネル３８の上面の高さとの差（床段差）は、一例として、１８５０ｍｍに設定されている。一般的な床段差は、１００〜３００ｍｍ程度であるが、本実施形態の床構造１２の床段差は、一般的な床段差よりもかなり大きい。
【００２７】
鉄筋コンクリート梁３０における垂直ハンチ部３２の側面側には、隣り合う鉄筋コンクリート梁３０に掛け渡されるように壁パネル４２が設けられている。
【００２８】
構造物１０は、例えば、新聞印刷用の輪転機工場として用いられており、建物内部の床パネル３８上に巨大な輪転機４４が配置されている。新聞印刷の作業性の効率化のためには、床パネル３８の高さを床パネル３６の高さから、例えば、１６００〜１８５０ｍｍ程度下げる必要がある。また、輪転機４４の重量はかなり大きいため、鉄筋コンクリート梁３０によって床パネル３６、３８を安定的に支持する必要がある。
【００２９】
本実施形態の鉄筋コンクリート梁３０では、高さを下げる必要のある部分に垂直ハンチ部３２を設けることで、低上面部３４Ｂを形成する。また、鉄筋コンクリート梁３０では、高さを下げる必要のない高上面部３４Ａ側の梁せいを大きくすることで、鉄筋コンクリート梁３０の構造性能を向上させる。
【００３０】
図２には、鉄筋コンクリート梁３０の配筋状態が軸方向に沿った立断面図にて示されている。また、図３には、鉄筋コンクリート梁３０の高上面部３４Ａ側の配筋状態が軸方向と直交する方向の断面図にて示されている。鉄筋コンクリート梁３０の配筋状態は、軸方向で左右対称とされている。図２及び図３に示されるように、鉄筋コンクリート梁３０の軸方向両側の端部には、高上面部３４Ａ側の上部に複数（例えば、６本）の端部上筋５０が水平方向（横方向）に配筋されている（図２参照）。複数の端部上筋５０は、鉄筋コンクリート梁３０の軸方向両側の高上面部３４Ａ側にそれぞれ設けられている。ここで、端部上筋５０は、端部上端主筋の一例である。
【００３１】
鉄筋コンクリート梁３０の上下方向中間部の軸方向には、低上面部３４Ｂの上部を跨ぐように複数（例えば、６本）の中央上筋５２が水平方向（横方向）に配筋されている。複数の中央上筋５２の下側には、複数（例えば、６本）の中央下筋５４が水平方向（横方向）に配筋されている。鉄筋コンクリート梁３０の上下方向下端部の軸方向には、下面部３５に沿って複数（例えば、６本）の下端筋５６が水平方向（横方向）に配筋されている。ここで、下端筋５６は、下端主筋の一例である。
【００３２】
図３に示されるように、鉄筋コンクリート梁３０の上下方向の中間部には、複数の腹筋５８が軸方向（水平方向）に配筋されている。腹筋５８は、梁幅方向（鉄筋コンクリート梁３０の軸方向と直交する方向）に一対で配置されている。一対の腹筋５８は、上下方向に間隔をおいて配置されている。鉄筋コンクリート梁３０の梁幅方向（軸方向と直交する方向）には、一対の腹筋５８と接触するように幅止め筋６４が水平方向（横方向）に配筋されている。なお、図２では、腹筋５８と幅止め筋６４は、図示していない。
【００３３】
また、鉄筋コンクリート梁３０には、梁幅方向の一方側（例えば図３中の左側）において、複数（例えば、５本）の端部上筋５０と、上下方向の複数の腹筋５８と、複数（例えば、５本）の中央上筋５２と、複数（例えば、５本）の中央下筋５４と、複数（例えば、５本）の下端筋５６とを囲むように、あばら筋６０が配筋されている。あばら筋６０は、鉄筋コンクリート梁３０の軸方向に間隔をおいて複数配置されている（図２参照）。
【００３４】
さらに、鉄筋コンクリート梁３０には、鉄筋コンクリート梁３０の梁幅方向の他方側（例えば図３中の右側）において、複数（例えば、５本）の端部上筋５０と、上下方向の複数の腹筋５８と、複数（例えば、５本）の中央上筋５２と、複数（例えば、５本）の中央下筋５４と、複数（例えば、５本）の下端筋５６とを囲むように、あばら筋６２が配筋されている。梁幅方向にてあばら筋６２の一部は、あばら筋６０の一部と重なるように配置されている。あばら筋６２は、鉄筋コンクリート梁３０の軸方向に間隔をおいて複数配置されている。
【００３５】
図２に示されるように、鉄筋コンクリート梁３０の軸方向の端部の垂直ハンチ部３２側には、軸方向に複数の小口補強筋６８が配筋されている。複数の小口補強筋６８は、鉄筋コンクリート梁３０の上下方向に間隔をおいて配置されている。また、鉄筋コンクリート梁３０の軸方向の端部には、中央上筋５２と中央下筋５４を上側から囲むように複数のキャップ筋７０が配筋されている。複数のキャップ筋７０は、鉄筋コンクリート梁３０の軸方向に間隔をおいて配置されている。
【００３６】
端部上筋５０は、垂直ハンチ部３２の下部の下端筋５６から垂直に立ち上がる縦筋部５０Ａと、縦筋部５０Ａの上端部から水平方向に屈曲される横筋部５０Ｂと、を備えている。横筋部５０Ｂの一端部（縦筋部５０Ａと反対側の端部）には、下側に屈曲された屈曲部５０Ｃが形成され、柱２０の内部に定着されている。
【００３７】
中央上筋５２は、鉄筋コンクリート梁３０の軸方向に沿って配置される横筋部５２Ａと、柱２０の内部で横筋部５２Ａの軸方向の両端部から下側に屈曲される屈曲部５２Ｂと、を備えている。
【００３８】
下端筋５６は、鉄筋コンクリート梁３０の軸方向に沿って配置される横筋部５６Ａと、柱２０の内部で横筋部５６Ａの軸方向の両端部から上側に屈曲される屈曲部５６Ｂと、を備えている。下端筋５６の屈曲部５６Ｂの上端部と、中央上筋５２の屈曲部５２Ｂの下端部とは、水平方向に対向するように配置され、柱２０の内部で定着されている。
【００３９】
本実施形態では、鉛直方向の縦筋部５０Ａを備えた端部上筋５０と、中央上筋５２とを別々に配筋している。すなわち、一般的なハンチ部を備えた鉄筋コンクリート梁では、上筋が連続しているが、本実施形態では、端部上筋５０と中央上筋５２とを別々に配筋することで、上筋が連続しない構成とされている。
【００４０】
鉄筋コンクリート梁３０は、上記のように鉄筋を配筋した状態でコンクリート７４を打設することによって構築されている。鉄筋コンクリート梁３０は、垂直ハンチ部３２を備えた低上面部３４Ｂ側の部分と、他の部分である高上面部３４Ａとで、梁幅が一定とされている。
【００４１】
免震装置１６は、上記のように鉄筋コンクリート梁３０と接合される柱２０の下側に設けられている。免震装置１６は、例えば、円板状の上部フランジ１６Ａと、円板状の下部フランジ１６Ｂと、上部フランジ１６Ａと下部フランジ１６Ｂとの間に配置される積層ゴム１６Ｃと、を備えている。免震装置１６は、図示しないボルトにより上部フランジ１６Ａが上基礎１８に固定されると共に、図示しないボルトにより下部フランジ１６Ｂが基礎１４に固定されている。
【００４２】
（作用及び効果）
次に、本実施形態の作用及び効果について説明する。
【００４３】
床構造１２では、柱２０に接合される鉄筋コンクリート梁３０は、垂直ハンチ部３２を備え、上端面に軸方向両側の高上面部３４Ａと軸方向中央部の低上面部３４Ｂとで構成された段差３４が設けられている。また、鉄筋コンクリート梁３０の高上面部３４Ａと低上面部３４Ｂに床パネル３６、３８が設けられることで、段差のある床面が形成されている。鉄筋コンクリート梁３０の端部には、垂直ハンチ部３２の下部の下端筋５６から垂直に立ち上がり、水平方向へ屈曲して柱２０の内部に定着される端部上筋５０が配筋されている。これにより、鉄筋コンクリート梁３０の軸方向の両端部の高上面部３４Ａ側の梁せいを大きくすることができ、構造性能が上がる。このため、上端面の段差が高い高上面部３４Ａの床パネル３６の支持強度を確保することができる。
【００４４】
また、床構造１２では、端部上筋５０を直線的に折り曲げて配筋することができるため、配筋が単純であり、配筋の施工性が向上する。また、鉄筋コンクリート梁３０の軸方向の高上面部３４Ａ側の梁せいが大きく、構造性能が上がるため、必要な鉄筋が少なくて済み、また、並べる鉄筋の本数も減るため、鉄筋コンクリート梁３０の梁幅を小さくできる。したがって、鉄筋コンクリート梁３０の必要なコンクリート量と鉄筋量を減らすことができる。
【００４５】
さらに、垂直ハンチ部３２の上下方向の高さを変えるとき、端部上筋５０の上端部を屈曲させる位置を変える加工方法で、異なる高さの段差３４に簡単に配筋することができる。
【００４６】
また、床構造１２では、鉄筋コンクリート梁３０は、垂直ハンチ部３２を備えた低上面部３４Ｂ側の部分と、他の部分である高上面部３４Ａとで、梁幅が一定とされている。このため、鉄筋コンクリート梁３０は、垂直ハンチ部の部分と他の部分との梁幅を変える場合と比べて、垂直ハンチ部３２の強度を大きくできる。
【００４７】
また、床構造１２では、鉄筋コンクリート梁３０と接合される柱２０の下側に免震装置１６を設け、地震による床パネル３６、３８の揺れを抑制している。
【００４８】
さらに、床構造１２では、鉄筋コンクリート梁３０の軸方向の中間部に２箇所の垂直ハンチ部３２を備えている。このため、簡単な構成により、鉄筋コンクリート梁３０の軸方向中間部の床パネル３８の高さを、鉄筋コンクリート梁３０の軸方向両側の床パネル３６の高さよりも低くすることができる。
【００４９】
一方、床スラブに段差を形成する構造としては、例えば、梁と柱との接合部における梁上に腰壁を構築する構造や、梁と柱との接合部における梁上に増し打ちして高い部分を構築する構造が考えられる。さらに、例えば、鉄筋コンクリート梁の端部に通常のハンチ処理により斜めに配筋し、この斜めに配筋した部分に増し打ちして床パネルを配置する構造などが考えられる。
【００５０】
しかし、腰壁又は増し打ちにより段差を形成する構造では、支持強度が期待できるのは梁せいの低い部分のみとなり、腰壁又は増し打ち部分の支持強度が弱く、構造性能が足りない可能性がある。
【００５１】
また、鉄筋コンクリート梁の端部に通常のハンチ処理する構造では、通常のハンチ処理の部分は鉄筋を折り曲げるため、三角部分は増し打ちになる。この通常のハンチ処理では、斜めに配筋するため、鉄筋の折り曲げの配筋作業が煩雑であり、作業効率が低下する可能性がある。
【００５２】
これに対して、本実施形態の床構造１２では、垂直ハンチ部３２を備え、上端面に段差３４がある鉄筋コンクリート梁３０が設けられている。このため、配筋構造を複雑化することなく、段差３４を有する床パネル３６、３８（特に高さが高い床パネル３６）の支持強度を確保することができる。
【００５３】
〔第２実施形態〕
次に、図４及び図５を用いて、第２実施形態の床構造について説明する。なお、前述した第１実施形態と同一構成部分については、同一番号を付してその説明を省略する。
【００５４】
図４には、本実施形態の床構造１０２が適用された構造物１００が平面図にて示されており、図５には、床構造１０２が適用された構造物１００が立断面図にて示されている。図４に示されるように、構造物１００は、複数の柱１０４、１０６と、隣り合う柱１０４、１０６に連結されるように配置された壁１０８と、を備えている。壁１０８は、平面視にて略Ｕ字状に形成されている。構造物１００は、壁１０８で囲まれた建物内部の作業場１１０を備えている。作業場１１０は、略矩形状であり、作業場１１０の長手方向に沿った一方の側には、開口部１１２が設けられている。
【００５５】
床構造１０２は、隣り合う柱１０４間に連結された複数の鉄筋コンクリート梁１２０を備えている。鉄筋コンクリート梁１２０は、作業場１１０の長手方向にほぼ平行に配置されている。
【００５６】
図５に示されるように、鉄筋コンクリート梁１２０は、垂直ハンチ部１２２を備え、上端面に高上面部１２４Ａと低上面部１２４Ｂとで構成された段差１２４が設けられている。さらに、床構造１０２は、鉄筋コンクリート梁１２０の高上面部１２４Ａと低上面部１２４Ｂに段差のある床面を形成する床パネル１２６、１２８を備えている（図４参照）。ここで、床パネル１２６、１２８は、床スラブの一例である。
【００５７】
図示を省略するが、床構造１０２には、鉄筋コンクリート梁１２０の軸方向と直交する方向に、隣り合う鉄筋コンクリート梁１２０を繋ぐ複数の小梁が設けられている。
【００５８】
高上面部１２４Ａは、鉄筋コンクリート梁１２０の軸方向の一端部側（一方の柱１０４に接合される側）に設けられている。床パネル１２６は、隣り合う鉄筋コンクリート梁１２０の高上面部１２４Ａと複数の小梁の上面側に配置されている。また、低上面部１２４Ｂは、鉄筋コンクリート梁１２０の軸方向の他端部側（他方の柱１０４に接合される側）に設けられている。床パネル１２８は、隣り合う鉄筋コンクリート梁１２０の低上面部１２４Ｂと複数の小梁の上面側に配置されている。床パネル１２８の上下方向の高さは、床パネル１２６の上下方向の高さよりも低い。例えば、床パネル１２８の上面の高さと、床パネル１２６の上面の高さとの差（床段差）は、１３００〜１８５０ｍｍとされている。
【００５９】
鉄筋コンクリート梁１２０は、垂直ハンチ部１２２を備えた低上面部１２４Ｂ側の部分と、他の部分である高上面部１２４Ａとで、梁幅が一定とされている（図４参照）。
【００６０】
鉄筋コンクリート梁１２０の配筋構造は、図２に示す第１実施形態の鉄筋コンクリート梁３０の軸方向の一端部側（例えば、図２中の軸方向の左側）と同様であるので、図示を省略する。すなわち、鉄筋コンクリート梁１２０の高上面部１２４Ａ側には、垂直ハンチ部１２２の下部の下端筋から垂直に立ち上がり、水平方向へ屈曲して柱１０４の内部に定着される端部上筋（端部上端主筋）が配筋されている。
【００６１】
また、図５に示されるように、柱１０４の下端部は、上基礎１８に接合されている。基礎１４と上基礎１８との間には、免震装置１６が設けられている。
【００６２】
図４に示されるように、作業場１１０の開口部１１２側には、床パネル１２８の高さとほぼ同じ高さの床パネル１３０が設置されている。構造物１００は、作業場１１０に運搬用のトラック１４０を入れて荷物の積み込みを行うためのトラックバースとして用いられる。構造物１００では、床パネル１２６の高さよりも低い床パネル１２８及び床パネル１３０の領域は、トラックヤードであり、複数のトラック１４０の寄り付き場として用いられる。床パネル１２８の高さよりも高い床パネル１２６の上には、複数のトラック１４０に荷物を搬送するための搬送装置１４２が設置されている。床パネル１２６の領域は、複数のトラック１４０に荷物を積み込む場として用いられる。荷物の積み込み作業の効率化のために、床パネル１２８の高さは、床パネル１２６の高さに対して１６００〜１８５０ｍｍ下げる必要がある。トラックバースは、重量的にかなり大きいため、鉄筋コンクリート梁１２０によって安定的に支持する必要がある。
【００６３】
床構造１０２では、第１実施形態と同様の構成により、同様の効果を得ることができる。すなわち、床構造１０２では、鉄筋コンクリート梁１２０の上端面の段差が高い高上面部１２４Ａ側は、梁せいが大きい。このため、床パネル１２６の支持強度を確保することができる。また、鉄筋コンクリート梁１２０の低上面部１２４Ｂ側は、高上面部１２４Ａ側よりも梁せいが小さいが、トラックバースの荷重に対し十分な梁せいが確保されている。
【００６４】
〔補足説明〕
第１及び第２実施形態の床構造１２、１０２は、新聞印刷用の輪転機工場、トラックバース以外の用途に使用してもよい。例えば、ダンス用の舞台や、プールサイドの床など高い耐荷重が求められる場合に、本発明の床構造を適用することができる。
【００６５】
第１及び第２実施形態において、端部上筋５０以外の鉄筋の配筋構造は、本発明を逸脱しない範囲で適宜に変更してもよい。また、端部上筋５０の寸法は、適宜に変更してもよい。
【００６６】
第１実施形態の床構造１２では、床パネル３６、３８が用いられ、第２実施形態の床構造１０２では、床パネル１２６、１２８が用いられているが、本発明はこれらの構成に限定するものではない。例えば、現場で構築して段差のある床面を形成する床スラブを用いてもよい。
【００６７】
第１及び第２実施形態の床構造１２、１０２は、基礎１４の上方側に設けられているが、本発明はこの構成に限定するものではない。例えば、建物の上層階（例えば２階以上の部分）に本発明の床構造を備える構成でもよい。
【００６８】
なお、本発明を特定の実施形態について詳細に説明したが、本発明はかかる実施形態に限定されるものではなく、本発明の範囲内にて他の種々の実施形態が可能であることは当業者にとって明らかである。
【符号の説明】
【００６９】
１２   床構造
１６   免震装置
２０   柱
３０   鉄筋コンクリート梁
３２   垂直ハンチ部
３４   段差
３６   床パネル（床スラブの一例）
３８   床パネル（床スラブの一例）
５０   端部上筋（端部上端主筋の一例）
５６   下端筋（下端主筋の一例）
１０２ 床構造
１０４ 柱
１２０ 鉄筋コンクリート梁
１２２ 垂直ハンチ部
１２４ 段差
１２６ 床パネル（床スラブの一例）
１２８ 床パネル（床スラブの一例）
【図１】
2020020140.tif 000003
【図２】
2020020140.tif 000004
【図３】
2020020140.tif 000005
【図４】
2020020140.tif 000006
【図５】
2020020140.tif 000007